(57)【要約】【課題】複合材からなり強度の高い框体を有する複合サッシの障子を提供する。【解決手段】横框４０は内周面側にガラス体３を納めるガラス開口溝４５を有すると共に、外周側面に枠体に形成されるレールを跨ぐレール溝４６を有し、横框４０の金属横框４１はガラス開口溝４５の室外面と、レール溝４６の室内面及び室外面を構成し、横框４０の樹脂横框４２はガラス開口溝４５の室内面を構成するガラス溝構成部４２ａと、金属横框４１により構成されるレール溝４６の室内面を重合状に覆うレール溝構成部４２ｂとを有すると共に、ガラス溝構成部４２ａの根元部に金属横框４１に対する固定部４２ｃを有してなり、樹脂横框４２のガラス溝構成部４２ａはレール溝構成部４２ｂよりも厚肉状に形成されると共に、固定部４２ｃ近傍に中空部４２ｄまたは肉厚部を有してなる。【選択図】図３
2006188927.tif 000002
【特許請求の範囲】
【請求項１】
建物開口部に設けられる枠体内に納められるものであって、上下の横框と左右の縦框を方形状に框組みした框体の内部にガラス体を納めてなり、上記横框と縦框は室外側の金属框と該金属框の室内側露出面を覆う樹脂框とから構成された複合サッシの障子において、
上記横框は内周面側に上記ガラス体を納めるガラス開口溝を有すると共に、外周側面に上記枠体に形成されるレールを跨ぐレール溝を有し、
上記横框の金属框は上記ガラス開口溝の室外面と、上記レール溝の室内面及び室外面を構成し、上記横框の樹脂框は上記ガラス開口溝の室内面を構成するガラス溝構成部と、上記金属框により構成されるレール溝の室内面を重合状に覆うレール溝構成部とを有すると共に、上記ガラス溝構成部の根元部に上記金属框に対する固定部を有してなり、
上記樹脂框のガラス溝構成部は上記レール溝構成部よりも厚肉状に形成されると共に、上記固定部近傍に中空部または肉厚部を有してなることを特徴とする複合サッシの障子。
【請求項２】
上記樹脂框のレール溝構成部は断面板状に形成されると共に、上記金属框のレール溝の室内面外周側端部に係合してなることを特徴とする請求項１記載の複合サッシの障子。
【請求項３】
上記樹脂框の固定部は上記金属框の室内面内周側端部に形成される係合部に対し係合する被係合部からなることを特徴とする請求項１または２記載の複合サッシの障子。
【請求項４】
上記樹脂框の中空部または肉厚部は上記固定部の室内側に隣接して配置されることを特徴とする請求項１〜３のいずれか１項に記載の複合サッシの障子。
【発明の詳細な説明】
【技術分野】
【０００１】
本発明は建物開口部に取付けられる枠体に納められる引き違い状の障子に関し、特に金属框の室内側面を樹脂框で覆った複合框体を有してなる複合サッシの障子に関する。
に関する。
【背景技術】
【０００２】
従来から建物躯体の開口部に設けられた枠体の内部に引き違い障子を納めてなる引き違いサッシが知られている。また、枠体及び障子の框体について、室外側は金属材で構成し、その室内側には樹脂材を配設してなる複合サッシも知られている。このような複合サッシとしては例えば特許文献１に挙げるようなものがある。
【特許文献１】特許第３５０７０３１号公報
【０００３】
従来の複合サッシにおいては、障子の複合材を構成する樹脂材は、断熱性を高めるために断面中空状に形成されている。しかし、複合サッシは断熱性を向上させるだけでなく、室内側の意匠性を向上させることもできるので、断熱性をそれほど必要としない地域であっても意匠性のために複合サッシを用いることがある。この場合においては、断面中空状の樹脂材により障子を構成すると断熱性能が過剰であり、コストの高いサッシとなる。そこで、樹脂材を板状とすることで、室内側の意匠性を確保しつつ、コストの低いサッシとすることができる。
【発明の開示】
【発明が解決しようとする課題】
【０００４】
しかし、単に樹脂材を板状としただけでは、樹脂材の強度が不足する。障子の樹脂材は框体の室内面を構成し、金属材の室内面を覆う部分と樹脂材のみからなる部分とがあり、特に金属材と樹脂材の結合部における強度確保が必要である。
【０００５】
本発明は、上記課題を解決すべくなされたものであり、複合材からなり強度の高い框体を有する複合サッシの障子を提供することを目的とする。
【課題を解決するための手段】
【０００６】
上記課題を解決するため、本発明に係る複合サッシの障子は、建物開口部に設けられる枠体内に納められるものであって、上下の横框と左右の縦框を方形状に框組みした框体の内部にガラス体を納めてなり、上記横框と縦框は室外側の金属框と該金属框の室内側露出面を覆う樹脂框とから構成された複合サッシの障子において、
上記横框は内周面側に上記ガラス体を納めるガラス開口溝を有すると共に、外周側面に上記枠体に形成されるレールを跨ぐレール溝を有し、
上記横框の金属框は上記ガラス開口溝の室外面と、上記レール溝の室内面及び室外面を構成し、上記横框の樹脂框は上記ガラス開口溝の室内面を構成するガラス溝構成部と、上記金属框により構成されるレール溝の室内面を重合状に覆うレール溝構成部とを有すると共に、上記ガラス溝構成部の根元部に上記金属框に対する固定部を有してなり、
上記樹脂框のガラス溝構成部は上記レール溝構成部よりも厚肉状に形成されると共に、上記固定部近傍に中空部または肉厚部を有してなることを特徴として構成されている。
【０００７】
また、本発明に係る複合サッシの障子は、上記樹脂框のレール溝構成部は断面板状に形成されると共に、上記金属框のレール溝の室内面外周側端部に係合してなることを特徴として構成されている。
【０００８】
さらに、本発明に係る複合サッシの障子は、上記樹脂框の固定部は上記金属框の室内面内周側端部に形成される係合部に対し係合する被係合部からなることを特徴として構成されている。
【０００９】
さらにまた、本発明に係る複合サッシの障子は、上記樹脂框の中空部または肉厚部は上記固定部の室内側に隣接して配置されることを特徴として構成されている。
【発明の効果】
【００１０】
本発明に係る複合サッシの障子によれば、樹脂框のガラス溝構成部はレール溝構成部よりも厚肉状に形成されることにより、樹脂材のみで構成されるガラス溝構成部の室内面の強度を充分に確保し強固にガラス体を挟持することができ、またその根元部分に形成される固定部近傍に中空部または肉厚部が形成されているので、樹脂框の剛性を高めてガラス体の挟持をより強固にすることができる。
【００１１】
また、本発明に係る複合サッシの障子によれば、樹脂框のレール溝構成部は断面板状に形成されると共に、金属框のレール溝の室内面外周側端部に係合してなることにより、金属框に対し重合状態となるレール溝構成部については樹脂の使用量を少なくしてコストを下げることができると共に、金属框に対して容易に固定することができる。
【００１２】
さらに、本発明に係る複合サッシの障子によれば、固定部は金属框の室内面内周側端部に形成される係合部に対し係合する被係合部からなることにより、樹脂框を金属框に対して係合により固定することができるので、樹脂框の取付けを容易に行うことができる。
【００１３】
さらにまた、本発明に係る複合サッシの障子によれば、中空部または肉厚部は固定部の室内側に隣接して配置されることにより、最も荷重のかかる固定部付近の強度を大きくすることができ、樹脂框の強度を高めることができる。
【発明を実施するための最良の形態】
【００１４】
本発明の実施形態について図面に沿って詳細に説明する。図１は本実施形態における障子を有するサッシの縦断面図であり、図２はサッシの横断面図である。本実施形態におけるサッシの基本構成は、建物開口部に取付けられる枠体１内に、外障子４と内障子５を引き違い状に納めてなるものである。
【００１５】
枠体１は、下枠１０と上枠２０及び左右の縦枠３０、３０を方形状に枠組みしてなるものである。下枠１０は室外側の金属下枠１１とその室内側に配設される室内樹脂下枠１３とからなっている。また、上枠２０は室外側の金属上枠２１とその室内側に配設される室内樹脂上枠２３とからなっている。さらに、外障子４が配置される側の縦枠３０は金属縦枠３１とその室内側に配設される室内樹脂縦枠３３とからなっている。
【００１６】
枠体１は、その見込方向中間位置に四周に渡って設けられるフィン８が建物躯体に当接し、ビス止めされることで固定されている。すなわち、このサッシはいわゆる半外付けサッシである。また、金属下枠１１の室内面下端部には、室内側に向かって突出する固定部１１ｄが形成されており、この固定部１１ｄも建物躯体に対してビス止めされる。
【００１７】
下枠１０を構成する金属下枠１１の上面には、その長手方向略全長に渡って外レール１１ａと内レール１１ｂ及び網戸レール１１ｃが形成されており、外レール１１ａは外障子４を、内レール１１ｂは内障子５を、網戸レール１１ｃは網戸（図示しない）を、それぞれサッシの長手方向に案内する。
【００１８】
上枠２０を構成する金属上枠２１の下面には、その長手方向略全長に渡って外レール２１ａと内レール２１ｂ及び網戸レール２１ｃが形成されている。各レールは下枠１０の各レールに対応して形成されており、外障子４と内障子５及び網戸（図示しない）をそれぞれサッシの長手方向に案内する。
【００１９】
外障子４が配置される側の縦枠３０を構成する金属縦枠３１の内周面には、外障子４を閉じた状態でその側面と対向する位置に外突出部３１ａが長手方向略全長に渡って設けられる。また、内障子５が配置される側の縦枠３０を構成する金属縦枠３１の内周面には、内障子５を閉じた状態でその側面と対向する位置に内突出部３１ｂが長手方向略全長に渡って設けられる。これらは、外障子４及び内障子５を閉じた際にサッシの気密性及び水密性を確保するために設けられている。
【００２０】
枠体１の室内側端部には、四周に渡って室内樹脂枠が設けられている。金属下枠１１の室内側端部には、室内樹脂下枠１３が設けられる。この室内樹脂下枠１３は、内レール１１ｂと金属下枠１１の室内面との間に形成される凹部内に納められ、さらに金属下枠１１の室内面よりも室内側に向かって延出する室内延出部１３ａを有してなるものである。
【００２１】
金属上枠２１の室内側端部に設けられる室内樹脂上枠２３も、同様に内レール２１ｂと金属上枠２１の室内面との間に形成される凹部内に納められ、さらに金属上枠２１の室内面よりも室内側に向かって延出する室内延出部２３ａを有してなる。
【００２２】
また、金属縦枠３１の室内側端部に設けられる室内樹脂縦枠３３は、内障子５が閉じた状態でそれと対向する側の金属縦枠３１に対しては、内突出部３１ｂよりも室内側に設けられ、さらに室内側に向かって延出する室内延出部３３ａを有してなる。外障子４が配置される側の金属縦枠３１に取付けられる室内樹脂縦枠３３は、金属材ができるだけ室内側に露出しないように、内障子５が配置される側の金属縦枠３１に取付けられる室内樹脂縦枠３３よりも室外側に延長した延長部３３ｂを有して構成される。延長部３３ｂは、外障子４を閉じた状態におけるその室内面の近傍位置まで延長されている。
【００２３】
次に、障子について説明する。外障子４と内障子５は、横框である下框４０及び上框５０と、左右の縦框６０、６０とを方形状に框組みしてなる框体２の内部に、ガラス体３を納めてなるものである。そして、框体２は、室外側に金属材を配し、室内側に樹脂材を配した複合材からなるものである。
【００２４】
下框４０は、図１に示すように、室外側の金属下框４１と、その室内面に取付けられる樹脂下框４２とから構成されている。下框４０の内周面側は長手方向略全長に渡って、グレチャン７を挟持しガラス体３を納めることができるように、凹形状とされたガラス開口溝４５を形成している。また、下框４０の外周面側は、長手方向略全長に渡って外レール１１ａまたは内レール１１ｂを跨ぐように凹形状とされた溝状のレール溝４６を形成している。また、下框４０の下端部には、戸車４３が設けられて、外障子４は外レール１１ａに、内障子５は内レール１１ｂに、それぞれ載置される。
【００２５】
金属下框４１は、ガラス開口溝４５の室外面と、レール溝４６の室外面及び室内面とを構成している。また、樹脂下框４２は、ガラス開口溝４５の室内面を構成するガラス溝構成部４２ａと、金属下框４１のレール溝４６の室内面を重合状に覆うレール溝構成部４２ｂとからなっている。すなわち、ガラス開口溝４５の室外面は金属下框４１により、室内面は樹脂下框４２により構成されている。したがって、ガラス体３の室外面は金属下框４１により支持され、室内面は樹脂下框４２により支持されている。
【００２６】
図３には障子の下框４０付近の拡大図を示す。この図に示すように、金属下框４１の室内面内周側端部には係合部４１ａが形成されており、樹脂下框４２のガラス溝構成部４２ａの根元部分には係合部４１ａに対して係合する被係合部４２ｃが形成されている。そして、樹脂下框４２には被係合部４２ａの室外側に隣接して中空部４２ｄがさらに形成されている。ガラス溝構成部４２ａの根元部分は、被係合部４２ｃを有していることから強度が必要であり、ここに中空部４２ｄが形成されていることにより、充分な強度を確保することができる。なお、空洞を有して中空状に形成される中空部４２ｄの代わりに空洞を有しない肉厚部として形成してもよい。いずれによっても固定部である被係合部４２ｃ近傍の強度を高めることができる。
【００２７】
また、樹脂下框４２のガラス溝構成部４２ａは、板状に形成されており、同じく板状に形成されるレール溝構成部４２ｂに比べて肉厚状とされている。レール溝構成部４２ｂは、レール溝４６の室外面を構成する金属下框４１に対して重合状となっているため、それほど強度は必要とされない。一方、ガラス溝構成部４２ａは、ガラス開口溝４５の室内面を樹脂材のみで構成するものであるため、ガラス体３をグレチャン７を介して挟持するための強度が必要である。ガラス溝構成部４２ａをレール溝構成部４２ｂよりも肉厚状とすることにより、その強度を充分に確保することができる。
【００２８】
樹脂下框４２のレール溝構成部４２ｂは、外障子４の樹脂下框４２では略全面が金属下框４１の室内面に重合状となっており、内障子５の樹脂下框４２では略下半分が金属下框４１の室内面に重合状となっている。いずれにしても、レール溝構成部４２ｂは金属下框４１の室内面を覆うものであり、その端部が金属下框４１の室内面外周側端部に係合し固定されている。
【００２９】
上框５０は、図１に示すように、室外側の金属上框５１と、その室内面に取付けられる板状の樹脂上框５２とから構成されている。上框５０の内周面側は長手方向略全長に渡って、グレチャン７を挟持しガラス体３を納めることができるように、凹形状とされたガラス開口溝５５を形成している。また、上框５０の外周面側は、長手方向略全長に渡って外レール２１ａまたは内レール２１ｂを跨ぐように凹形状とされた溝状のレール溝５６を形成している。
【００３０】
金属上框５１は、ガラス開口溝５５の室外面と、レール溝５６の室外面及び室内面とを構成している。また、樹脂上框５２は、ガラス開口溝５５の室内面を構成するガラス溝構成部５２ａと、金属上框５１のレール溝５６の室内面を重合状に覆うレール溝構成部５２ｂとからなっている。すなわち下框４０と同様、ガラス開口溝５５の室外面は金属上框５１により、室内面は樹脂上框５２により構成されているので、それに納められるガラス体３は、室外面を金属上框５１により、室内面を樹脂上框５２により、それぞれ支持されている。
【００３１】
図４には、障子の上框５０付近の拡大図を示す。この図に示すように、上框５０においても下框４０と同様に、金属上框５１の室内面内周側端部には係合部５１ａが形成され、樹脂上框５２のガラス溝構成部５２ａの根元部分には係合部５１ａに対して係合する被係合部５２ｃが形成されている。そして、樹脂上框５２には被係合部５２ｃの室外側に隣接して中空部５２ｄがさらに形成されている。これにより、樹脂上框５２の強度を充分に確保することができる。なお、中空状に形成される中空部５２ｄの代わりに空洞を有しない肉厚部として形成してもよい。いずれによっても固定部である被係合部５２ｃ近傍の強度を高めることができる。
【００３２】
また、樹脂上框５２のガラス溝構成部５２ａは板状であって、同じく板状に形成されるレール溝構成部５２ｂに比べて肉厚状とされている。これにより、ガラス開口溝５５によりガラス体３を強固に挟持することができる。
【００３３】
樹脂上框５２のレール溝構成部５２ｂは、外障子４の樹脂上框５２と内障子５の樹脂上框５２のいずれも略全面が金属上框５１の室内面を重合状に覆っている。そして、樹脂上框５２の端部が金属上框５１の室内面外周側端部に係合し固定されている。
【００３４】
縦框６０は、金属縦框６１と、その室内面に取付けられる板状の樹脂縦框６２とから構成されている。金属縦框６１の内周面には、グレチャン７を挟持しガラス体３を納めることができるように、凹形状で溝状のガラス開口溝６５が形成されている。縦框６０においても、ガラス体３の室外面は金属縦框６１により、室内面は樹脂縦框６２により、それぞれ支持される。
【００３５】
以上、本発明の実施形態について説明したが、本発明の適用はこれらの実施形態には限られず、その技術的思想の範囲内において様々に適用されうるものである。
【図面の簡単な説明】
【００３６】
【図１】本実施形態におけるサッシの縦断面図である。
【図２】本実施形態におけるサッシの横断面図である。
【図３】下框の拡大縦断面図である。
【図４】上框の拡大縦断面図である。
【符号の説明】
【００３７】
１    枠体
２    框体
３    ガラス体
４    外障子
５    内障子
４０    下框
４１    金属下框
４１ａ  係合部
４２    樹脂下框
４２ａ  ガラス溝構成部
４２ｂ  レール溝構成部
４２ｃ  被係合部
４２ｄ  中空部
４５    ガラス開口溝
４６    レール溝
５０    上框
５１    金属上框
５１ａ  係合部
５２    樹脂上框
５２ａ  ガラス溝構成部
５２ｂ  レール溝構成部
５２ｃ  被係合部
５２ｄ  中空部
５５    ガラス開口溝
５６    レール溝
６０    縦框
６１    金属縦框
６２    樹脂縦框
【図１】
2006188927.tif 000003
【図２】
2006188927.tif 000004
【図３】
2006188927.tif 000005
【図４】
2006188927.tif 000006